(57)【要約】  【課題】長期にわたり不変の白色光を生じることが可能な、高ＣＲＩで、色域の広い白色光源を提供する。  【解決手段】照明システムは、少なくとも１つの白色発光ダイオード（１１０）と複数カラーＬＥＤ（１１２）を含む光源（１０４）と、前記光源から放出される光を検出し、前記光の検出に応答して、前記光源から放出される光を調整するように構成されたスペクトル・フィードバック制御システム（１０６）とを具備する。【選択図】図１
2005259699.tif 000002
【特許請求の範囲】
【請求項１】
少なくとも１つの白色発光ダイオードと複数カラーＬＥＤを含む光源と、
前記光源から放出される光を検出し、前記光の検出に応答して、前記光源から放出される光を調整するように構成されたスペクトル・フィードバック制御システムとを具備することを特徴とする照明システム。
【請求項２】
前記スペクトル・フィードバック制御システムが、各色毎にカラーＬＥＤを制御するように構成されていることを特徴とする、請求項１に記載の照明システム。
【請求項３】
前記少なくとも１つの白色光ＬＥＤが、少なくとも１つの蛍光体変換白色ＬＥＤを含み、前記カラーＬＥＤが赤色、緑色、及び、青色ＬＥＤを含むことを特徴とする、請求項２に記載の照明システム。
【請求項４】
前記スペクトル・フィードバック制御システムが、さらに、各色毎に着色ＬＥＤを制御するのに用いられる色特定フィードバック信号を加えるように構成されたカラー・センサを含むことを特徴とする、請求項２に記載の照明システム。
【請求項５】
少なくとも１つの白色ＬＥＤが蛍光体変換白色ＬＥＤであることを特徴とする、請求項４に記載の照明システム。
【請求項６】
前記スペクトル・フィードバック制御システムが、各色毎に着色ＬＥＤを制御して、前記光源から放出される光の輝度及びクロミナンス特性を維持するように構成されたコントローラを含むことを特徴とする、請求項１に記載の照明システム。
【請求項７】
前記スペクトル・フィードバック制御システムが、色特定フィードバック信号を加えるように構成されたカラー・センサを含むことを特徴とする、請求項１に記載の照明システム。
【請求項８】
照明システムを動作させるための方法であって、
少なくとも１つの蛍光体変換白色発光ダイオードと複数カラーＬＥＤを含む光源に駆動信号を加えるステップと、
前記駆動信号に応答して発生する光を検出するステップと、
前記検出光に応答して、フィードバック信号を発生するステップと、
前記光源に加えられる前記駆動信号を調整するステップとを有することを特徴とする方法。
【請求項９】
前記光の検出ステップが、色特定フィードバック信号を発生するステップを含むことを特徴とする、請求項８に記載の方法。
【請求項１０】
前記駆動信号の調整ステップが、前記色特定情報に応答して、各色毎にカラーＬＥＤの駆動信号を調整するステップを含むことを特徴とする、請求項９に記載の方法。
【発明の詳細な説明】
【技術分野】
【０００１】
本発明は、発光ダイオード等の半導体光源を用いた照明システムに関し、特に、フィードバック制御システムを備えたシステム、及びその動作方法に関する。
【背景技術】
【０００２】
発光ダイオード（ＬＥＤ）は、一般に、単色半導体光源であり、現在、ＵＶ〜青から緑、黄、及び、赤までのさまざまな色が利用可能である。液晶ディスプレイなる（ＬＣＤ）の背面照明のような多くの照明用途では、白色光源が必要とされる。単色ＬＥＤを用いて白色光を生じるための２つの一般的なアプローチには、（１）個別赤色、緑色、及び、青色ＬＥＤを一緒にパッケージ化し、これらのＬＥＤから放出される光を組み合わせて、白色光を生じるものと、（２）ＵＶ、青色、または、緑色ＬＥＤに蛍光材料を導入して、ＬＥＤの半導体ダイによって放出されるもとの光の一部がより長い波長の光に変換されるようにし、この波長の長くなった光ともとのＵＶ、青色、または、緑色光を組み合わせて、白色光を生じるものがある。第２のアプローチを利用して生産されるＬＥＤは、燐光体ベースの蛍光材料を用いる場合が多く、蛍光体変換白色ＬＥＤと呼ばれる。
【発明の開示】
【発明が解決しようとする課題】
【０００３】
赤色、緑色、及び、青色ＬＥＤの組合せによって生じる光は、色域が広いが、一般に、演色評価数（ＣＲＩ）が不十分である。このタイプの白色光源の色域は広いが、赤色、緑色、及び、青色ＬＥＤには、動作電圧要件の異なる半導体ダイが含まれるので、光源は、蛍光体変換白色ＬＥＤよりも複雑な駆動回路要素を必要とする。動作電圧要件が異なるだけではなく、赤色、緑色、及び、青色ＬＥＤは、その動作寿命にわたって劣化度が異なり、このため、長期にわたる色制御が困難になる可能性がある。
【０００４】
蛍光体変換白色ＬＥＤは、白色光を生じるのに単一タイプの単色ＬＥＤだけしか必要とせず、複数ＬＥＤ光源の白色ＬＥＤは、全て、同じ動作電圧で駆動可能である。蛍光体変換白色ＬＥＤの欠点の１つは、スペクトル出力分布（ＳＰＤ）が均一でないということである。この欠点により、結果として、演色評価数が比較的悪くなる。さらに、蛍光体変換白色ＬＥＤによって生じる色は、動作寿命にわたって、条件変化と共に、そのもとの値から変化する傾向がある。
【０００５】
そこで、本発明は、長期にわたり不変の白色光を生じることが可能な、高ＣＲＩであって、色域の広い白色光源を提供することをその目的とする。
【課題を解決するための手段】
【０００６】
白色光を発生するシステム及び方法は、白色、赤色、緑色、及び、青色ＬＥＤの組合せを利用して白色光を生じ、フィードバック信号に応答して放出光を調整することを必要とする。白色ＬＥＤは、一般に蛍光体変換白色ＬＥＤである。蛍光体変換白色、赤色、緑色、及び青色ＬＥＤの組合せを用いて白色光を発生すると、ＣＲＩが向上した、ＳＰＤの広い白色光が得られる。フィードバックに応答して放出光を調整することによって、ＬＥＤの性能の経時変化に応じて、白色光の輝度及びクロミナンス特性を制御することが可能になる。
【０００７】
本発明による照明システムは、少なくとも１つの白色ＬＥＤ及び複数色のＬＥＤを含む光源と、光源から出射する光を検出し、光の検出に応答して、光源からの出射光を調整するように構成されたスペクトル・フィードバック制御システムを備えている。スペクトル・フィードバック制御システムには、色特定フィードバック信号を生じるように構成されたカラー・センサと、色特定フィードバック信号に応答して、色特定制御信号を発生するように構成されたコントローラと、色特定制御信号に応答して、色特定駆動信号を発生するように構成された駆動装置を含むことが可能である。
【０００８】
本発明による照明システムを動作させるための方法には、少なくとも１つの蛍光体変換白色ＬＥＤ及び複数色のＬＥＤを含む光源に駆動信号を加えるステップと、駆動信号に応答して発生する光を検出するステップと、検出した光に応答して、フィードバック信号を発生するステップと、光源に加えられる駆動信号を調整するステップが必要とされる。検出光から色特定フィードバック信号が発生させられる。色特定フィードバック信号を用いて、各色毎にカラーＬＥＤの駆動信号を調整し、検出光の輝度及びクロミナンス特性が維持される。
【発明を実施するための最良の形態】
【０００９】
本発明の他の態様及び利点は、本発明の原理を例証するために例示された、添付の図面と関連付けてなされる、下記の詳細な説明から明らかになるであろう。
【００１０】
説明全体を通じて、同様の参照番号を用いて同様の構成要素が識別されるものとする。
【００１１】
図１には、液晶ディスプレイ（ＬＣＤ）・パネルの背面照明に用いられる照明システム１００が描かれている。照明システムには、ＬＣＤパネル１０２、光源１０４、及びスペクトル・フィードバック制御システム１０６が含まれている。ＬＣＤパネルは、ＬＣＤディスプレイの分野において周知のところである。ＬＣＤパネルについて解説されるが、光の透過を可能にする他の光学媒体を照明システムに用いることも可能である。
【００１２】
光源１０４は、加えられる駆動信号に応答して、白色光を発生するように構成されている。ＬＣＤパネル１０２に対する光源の配向は、ＬＣＤの分野において既知のように、光がＬＣＤの側面に入射するように施されている。ＬＣＤパネルの背面照明は、一般に、当該分野において周知のところであり、本明細書ではこれ以上の説明を控えることにする。図１に示す光源は、白色光を放出するＬＥＤ１１０（本明細書では「白色ＬＥＤ」と呼ぶ）と、特定の色の単色光を放出するＬＥＤ１１２（本明細書では「カラーＬＥＤ」と呼ぶ）の混合物を含む、複数の発光ダイオード（ＬＥＤ）から構成されている。図１の実施態様の場合、白色ＬＥＤは、蛍光体変換白色ＬＥＤである。蛍光体変換白色ＬＥＤは、ＬＥＤ分野において周知のところである。ある例の場合、蛍光体変換白色ＬＥＤは、青色光を放出するＬＥＤと、セリウムで活性化するイットリウム・アルミニウム・ガーネット（Ｙ３Ａｌ５Ｏ１２：Ｃｅ３＋）のような蛍光体を組み合わせたものである。青色ＬＥＤは、一般に、ピーク波長が４６０〜４８０ナノメートル（ｎｍ）の第１の放射線を放出する。蛍光体は、青色放射線を部分的に吸収し、ピーク波長が５６０〜５８０ｎｍの第２の広帯域放射線を再放出する。第１と第２の放射線を組み合わせると、白色光が放出される。蛍光体変換白色ＬＥＤが、白色ＬＥＤに用いられるが、白色光を放出する他のＬＥＤをカラーＬＥＤと併用して、白色光を生じることも可能である。
【００１３】
図１の実施態様の場合、カラーＬＥＤ１１２には、それぞれの赤色、緑色、及び、青色スペクトルにおいて単色着色光を放出する赤色（Ｒ）、緑色（Ｇ）、及び、青色（Ｂ）の混合物が含まれる。カラーＬＥＤは、ＬＥＤ分野において周知のところである。図１の実施態様例におけるカラーＬＥＤは、赤色、緑色、及び、青色であるが、他のカラーＬＥＤの組合せを利用することも可能である。例えば、赤色、緑色、及び、青色ＬＥＤの代わりに、または、それらに加えて、シアンと琥珀色のＬＥＤを含むカラー混合を利用することも可能である。蛍光体変換白色ＬＥＤ１１０は、相対的に効率の良い白色光源であるため、光源に利用される。しかし、蛍光体変換白色ＬＥＤは、ＳＰＤがより短い波長へ偏り、結果として、ＣＲＩが比較的悪くなる。赤色、緑色、及び、青色ＬＥＤを光源に加えると、（１）光源から放出される白色光のＣＲＩの向上と、（２）白色光の制御及び維持の両方が行えるようになる。図２には、蛍光体変換白色ＬＥＤのスペクトル出力分布対赤色、緑色、及び、青色ＬＥＤのスペクトル出力分布のグラフが描かれている。
【００１４】
白色ＬＥＤ１１０及びカラーＬＥＤ１１２は、一般に、ＬＣＤパネル１０２のエッジに沿って配置される。図１に示すように、白色ＬＥＤ及びカラーＬＥＤは、白色、赤色、白色、緑色、白色、及び、青色（図１に示すＷ  Ｒ  Ｗ  Ｇ  Ｗ  Ｂ）の繰り返しパターンで分布させられる。図１には、特定のパターンのＬＥＤ分布が描かれているが、ＬＥＤの他のパターン及び／または分布を利用することも可能である。ＬＥＤの他のパターン及び／または分布に関する詳細は、用途に特有のものである。
【００１５】
図１に示す光源１０４には、白色ＬＥＤ１１０とカラーＬＥＤ１１２の混合物が存在するが、主に光源は白色ＬＥＤから構成される。図１の光源全域にわたるＬＥＤの分布は、全ての１つの赤色、緑色、または、青色ＬＥＤ毎に１つの白色ＬＥＤということになる。もう１つの例では、中間サイズのＬＣＤパネル（例えば、対角線が数インチ）用背面照明システムには、１０の蛍光体変換白色ＬＥＤ、２つの赤色ＬＥＤ、４つの緑色ＬＥＤ、及び、２つの青色ＬＥＤの分布を含むことが可能である。
【００１６】
図１を参照すると、スペクトル・フィードバック制御システム１０６には、カラー・センサ１２０、コントローラ１２２、及び、駆動装置１２４が含まれている。カラー・センサは、ＬＣＤパネル１０２及び光源１０４に対して、光源から放出された後、ＬＣＤパネルを通過する光を検出するように配向が施されている。図１の実施態様の場合、カラー・センサは、検出光の輝度及びクロミナンス特性を表わした色特定フィードバック信号を発生する三色センサである。たとえば、カラー・センサは、検出光に関連した三刺激値情報を表わすのに利用可能な１組の電気信号を送り出す。
【００１７】
コントローラ１２２は、光源１０４を構成するＬＥＤ１１０及び１１２の駆動を制御する。コントローラは、カラー・センサ１２０から色特定フィードバック信号を受信し、この色特定フィードバック信号に応答して、色特定制御信号を発生する。色特定制御信号は、光源から所望の色が得られるようにするために発生させる。
【００１８】
駆動装置１２４は、コントローラから受信した色特定制御信号を光源１０４を駆動する色特定駆動信号に変換する。例えば、駆動装置は、各色毎にカラーＬＥＤ１１２を制御する色特定駆動信号を送り出す。すなわち、駆動装置は、各カラーＬＥＤ（例えば、赤色、緑色、及び、青色）毎に個別に制御することが可能である。駆動装置によって発生する駆動信号には、ＬＥＤに加えられる電圧及び／または電流変化を含むことが可能である。あるいはまた、時間変調を利用して、ＬＥＤから放出される光の強度を制御することが可能である。図３には、図１からの駆動装置の拡大図が描かれている。図３に描かれた駆動装置には、それぞれ、赤色、緑色、及び、青色ＬＥＤ用の色特定駆動装置３２４−１、３２４−２、及び、３２４−３、並びに、白色ＬＥＤ用駆動装置３２４−４が含まれている。色特定駆動装置によって、駆動装置は、各色毎にカラーＬＥＤを制御することが可能になる。
【００１９】
動作時、図１のスペクトル・フィードバック制御システム１０６は、光源１０４から出射する光の輝度及びクロミナンス特性を測定し、次に、測定結果に応答して、出射光を所望の色に調整する。このシステムの動作については、図１に関連して詳述される。解説のための駆動装置１２４から開始すると、駆動装置は、ＬＥＤ１１０及び１１２を駆動する駆動信号を加える。例えば、駆動装置は、白色ＬＥＤに特定した白色ＬＥＤ特定駆動信号、及び、赤色、緑色、及び、青色ＬＥＤに特定した色特定駆動信号を加える。光源のＬＥＤは、駆動信号に応答して、光を発生し、光は、ＬＣＤパネル１０２を通って進行する。カラー・センサ１２０は、ＬＣＤパネルを通過する光を検出し、その検出に応答して、フィードバック信号を発生する。
【００２０】
図１の実施態様の場合、カラー・センサは、赤色、緑色、及び、青色スペクトルに関連した色特定フィードバック信号を出力する。カラー・センサからの色特定フィードバック信号は、コントローラ１２２によって受信され、所望の輝度及びクロミナンス特性の白色光が生じるように、光源駆動信号を調整するために利用される。所望の輝度及びクロミナンス特性の白色光を実現するため、コントローラは、カラー・センサからの色特定フィードバック信号に応答して、色特定制御信号を発生する。実施態様の１つでは、カラー・センサからの色特定フィードバック信号と基準色情報を比較して、色特定制御信号を発生させる。例えば、カラー・センサからの色特定フィードバック信号と基準色情報との差の関数として、色特定制御信号を発生させる。色特定制御信号を発生するための技法例については、より詳細に後述する。
【００２１】
コントローラ１２２によって発生する色特定制御信号は、駆動装置１２４に加えられる。駆動装置は、色特定制御信号を色特定駆動信号に変換する。色特定駆動信号は、次に、光源１０４のカラーＬＥＤ１１２に加えられる。ある特定の実施態様の場合、駆動装置は、各色毎に駆動信号を調整して、所望の輝度及びクロミナンス特性の白色光が生じるようにする。
【００２２】
駆動信号を加え、結果生じる光を検出し、フィードバック信号を発生し、フィードバック信号に応答して、駆動信号を調整するプロセスは、連続プロセスである。このプロセスのフィードバック特性のため、光源１０４から放出される光がドリフトする可能性があるとしても、各色毎に駆動信号の調整を連続して実施することにより、白色光の所望の輝度及びクロミナンス特性を維持することが可能である。例えば、各色毎に、赤色、緑色、及び、青色ＬＥＤ１１２を調整することにより、所望の輝度及びクロミナンス特性の白色光を生じさせることが可能である。実施態様の１つでは、所望の白色光を生じさせるには、光源の個々のカラーＬＥＤによって放出される光のドリフト時に、所望の白色光を維持することが必要になる。
【００２３】
例示のため、図１に示すシステム１００は、３つの色（「三色」）ＲＧＢベースのシステムである。三色表示系の着色光については、３つの色を個別に見分けることができないようにする３つの色の等色化に基づき、三刺激値に関連して解説することにする。三刺激値は、所望の色相に合わせるのに必要な、ある特定の三色表示系における３つの等色光の強度に相当する。三刺激値は、下記の方程式を用いて計算することが可能である。
【００２４】
【数１】
2005259699.tif 000003
【００２５】
ここで、
【００２６】
【数２】
2005259699.tif 000004
【００２７】
相対スペクトル出力分布Ｐ８は、固定基準値に対する、スペクトル全体にわたる各一定間隔波長毎のスペクトル出力である。ＣＩＥ等色関数ｘ８、ｙ８、及び、ｚ８は、ＣＩＥ１９３１標準表色系における関数ｘ（８）、ｙ（８）、及び、ｚ（８）、または、ＣＩＥ１９６４補助標準表色系における関数ｘ１０（８）、ｙ１０（８）、または、ｚ１０（８）である。ＣＩＥ１９３１測色標準観測者は、その等色特性が、１°〜４°の視野におけるＣＩＥ等色関数に対応する理想の観測者であり、ＣＩＥ１９６４測色標準観測者は、その等色特性が、視野サイズが４°を超える場合のＣＩＥ等色関数に対応する理想の観測者である。反射率Ｒ８は、その頂点が検討される表面上に位置する、ある特定の円錐において反射される放射束と、照射される完全拡散反射体によって同じ方向に反射される放射束との比である。放射束は、放射線の形で放出され、伝送され、あるいは、受光されるパワーである。放射束の単位はワット（Ｗ）である。完全拡散反射面は、反射率（または透過率）が１に等しい、理想の均等拡散体である。重み関数Ｗｘ８、Ｗｙ８、及び、Ｗｚ８は、相対スペクトル出力分布Ｐ８とある特定の組をなすＣＩＥ等色関数ｘ８、ｙ８、及び、ｚ８の積である。
【００２８】
図１に示すコントローラ１２２は、多種多様なやり方で実施して、色特定制御を実現することが可能である。図４（ａ）及び図４（ｂ）には、図１に描かれた光源において、各色毎に赤色、緑色、及び、青色ＬＥＤを調整するために利用可能なコントローラ４２２の例が描かれている。図４（ａ）を参照すると、コントローラ４２２には、基準値発生器４３０及び制御モジュール４３２が含まれている。コントローラは、カラー・センサ１２０（図１）からＲＧＢ空間における実測三刺激値（Ｒ、Ｇ、及び、Ｂ）の形で色特定フィードバック信号を受信する。コントローラは、入力基準三刺激値も受信する。入力（Inp)基準三刺激値は、目標白色点（Ｘ ref 及びＹ ref）とルーメン値（Ｌ ref）の形をとることが可能である。ユーザが、ユーザ・インターフェイス（不図示）を介して入力基準三刺激値を入力することもできるし、あるいは、他の何らかの方法で、入力基準三刺激値を受信することも可能である。基準値発生器は、入力基準三刺激値をＲＧＢ空間における基準三刺激値（Ｒ ref、Ｇ ref、及びＢ ref）に変換する。次に、制御モジュールが、実測三刺激値と基準三刺激値との差を求めて、各色毎に、所望の色を得るために駆動信号に施す必要のある調整を反映した、色特定制御信号を発生する。色特定制御信号によって、必要に応じて、カラーＬＥＤが調整され、所望の色の光が放出されることになる。こうして、光源の輝度及びクロミナンス特性が、所望の（すなわち、基準）輝度及びクロミナンス特性に近づくことになる。
【００２９】
ＣＩＥ１９３１三刺激値を利用する点を除けば、図４（b）の代替システム４００Ｂは、図４（ａ）のシステム４００Ａと同様である。システム４００Ｂには、ＲＧＢ空間における実測三刺激値を実測ＣＩＥ１９３１三刺激値に変換するフィードバック信号変換器４３４が含まれている。さらに、基準値発生器４３０が、入力基準三刺激値を基準ＣＩＥ１９３１三刺激値に変換する。次に、制御モジュール４３２が、実測ＣＩＥ１９３１三刺激値と基準ＣＩＥ１９３１三刺激値の差を求めて、然るべく色特定制御信号を調整する。
【００３０】
図５には、本発明に従って、照明システムを動作させるための方法のプロセス流れ図が示されている。ブロック５６０では、少なくとも１つの蛍光体変換白色ＬＥＤ及び複数カラーＬＥＤを含む光源に、駆動信号が提供される。ブロック５６２では、駆動信号に応答して発生する光が検出される。ブロック５６４では、検出光に応答して、フィードバック信号を発生する。ブロック５６６では、光源に提供される駆動信号が調整される。
【００３１】
照明システム１００は、ＬＣＤパネルの背面照明として説明されているが、他の任意の照明用途に利用することも可能であり、決してＬＣＤパネルの背面照明に制限されるものではない。
【００３２】
フィードバック信号を加え、フィードバック信号に応答して、各色毎にカラーＬＥＤを調整するスペクトル・フィードバック制御システム１０６の他の実施態様も実現可能である。
【００３３】
上述の実施形態に即して本発明を説明すると、本発明は、少なくとも１つの白色発光ダイオード（ＬＥＤ）（１１０）と複数カラーＬＥＤ（１１２）を含む光源（１０４）と、
前記光源から放出される光を検出し、前記光の検出に応答して、前記光源から放出される光を調整するように構成されたスペクトル・フィードバック制御システム（１０６）とを具備することを特徴とする照明システムを提供する。
【００３４】
好ましくは、前記スペクトル・フィードバック制御システム（１０６）は、各色毎にカラーＬＥＤを制御するように構成される。
【００３５】
好ましくは、前記少なくとも１つの白色光ＬＥＤ（１１０）は、少なくとも１つの蛍光体変換白色ＬＥＤを含み、前記カラーＬＥＤ（１１２）が赤色、緑色、及び、青色ＬＥＤを含む。
【００３６】
好ましくは、前記スペクトル・フィードバック制御システム（１０６）が、さらに、各色毎に着色ＬＥＤを制御するのに用いられる色特定フィードバック信号を加えるように構成されたカラー・センサ（１２０）を含む。
【００３７】
好ましくは、少なくとも１つの白色ＬＥＤ（１１０）は、蛍光体変換白色ＬＥＤである。
【００３８】
好ましくは、前記スペクトル・フィードバック制御システム（１０６）は、各色毎に着色ＬＥＤを制御して、前記光源（１０４）から放出される光の輝度及びクロミナンス特性を維持するように構成されたコントローラ（１２２）を含む。
【００３９】
好ましくは、前記スペクトル・フィードバック制御システムが、色特定フィードバック信号を加えるように構成されたカラー・センサ（１２０）を含む。
【００４０】
さらに、本発明は、照明システムを動作させるための方法であって、少なくとも１つの蛍光体変換白色発光ダイオード（ＬＥＤ）と複数カラーＬＥＤを含む光源に駆動信号を加えるステップ（５６０）と、前記駆動信号に応答して発生する光を検出するステップ（５６２）と、前記検出光に応答して、フィードバック信号を発生するステップ（５６４）と、前記光源に加えられる前記駆動信号を調整するステップ（５６６）とを有することを特徴とする方法を提供する。
【００４１】
好ましくは、前記光の検出ステップ（５６２）は、色特定フィードバック信号を発生するステップを含む。
【００４２】
好ましくは、前記駆動信号の調整ステップ（５６６）は、前記色特定情報に応答して、各色毎にカラーＬＥＤの駆動信号を調整するステップを含む。
【００４３】
本発明の特定の実施態様について解説し、例示してきたが、本発明は、そうして解説され、例示された部分の特定の形態または構成に制限されるものではない。本発明の範囲は、付属の請求項及びその同等物によって定義されるものとする。
【図面の簡単な説明】
【００４４】
【図１】本発明による液晶ディスプレイ・パネルの背面照明に用いられる照明システムを示す図である。
【図２】蛍光体変換白色光のスペクトル出力分布対赤色、緑色、及び、青色ＬＥＤのスペクトル出力分布のグラフである。
【図３】白色、赤色、緑色、及び、青色ＬＥＤに特定された駆動装置を示す、図１からの駆動装置の拡大図である。
【図４】（ａ）は、図１のコントローラの一例を示す拡大図であり、（ｂ）は、ＣＩＥ１９３１三刺激値を利用する、他の１つの例を示す拡大図である。
【図５】本発明による照明システムを動作させるための方法の各プロセスを示す流れ図である。
【符号の説明】
【００４５】
１０４  光源
１０６  スペクトル・フィードバック制御システム
１１０  白色ＬＥＤ
１１２  カラーＬＥＤ
１２０  カラー・センサ
１２２  コントローラ
【図１】
2005259699.tif 000005
【図２】
2005259699.tif 000006
【図３】
2005259699.tif 000007
【図４】
2005259699.tif 000008
【図５】
2005259699.tif 000009